(57)【要約】【課題】  鹿や猪などの害獣を捕獲する簡単で施設作業の容易な装置の提供を目的とする。【解決手段】  本発明による害獣捕獲装置は、捕獲すべき害獣の背丈よりも高い地上位置に張架される張架索条と、周囲に所定間隔で索条通し具を付けた捕獲ネットと、該捕獲ネットの索条通し具に通した絞り索条とを主要部材として構成され、捕獲ネットの縦方向の一辺を張架索条に懸架した状態で対向下辺を地面に垂らし、該対向下辺の一隅から前記絞り索条の端部を延ばして固定することにより捕獲準備が整うものである。ネットに侵入する害獣自身の突進力でネットが落下して捕獲動作が行われる。【選択図】図３
2017042152.tif 000002
【特許請求の範囲】
【請求項１】
捕獲すべき害獣の背丈よりも高い地上位置に張架される張架索条と、周囲に所定間隔で索条通し具を付けた捕獲ネットと、該捕獲ネットの索条通し具に通した絞り索条とを主要部材として構成され、前記捕獲ネットの縦方向の一辺を張架索条に懸架した状態で対向下辺を地面に垂らし、該対向辺の一隅から前記絞り索条の端部を延ばして固定するようにしたことを特徴とする害獣捕獲装置。
【請求項２】
前記捕獲ネットの地面に垂れる下辺の網目寸法が中ほどの網目寸法よりも小さいことを特徴とする請求項１記載の害獣捕獲装置。
【請求項３】
前記捕獲ネットを第１の捕獲ネットとしてその後部上方に展開吊架する第２の捕獲ネットと、該第２の捕獲ネットを前記第１の捕獲ネットに連動して引き落とすよう当該第１の捕獲ネットの一部又は前記絞り索条に連結された引き糸とを更に備えてなることを特徴とする請求項１又は２記載の害獣捕獲装置。
【請求項４】
前記捕獲ネットの害獣侵入経路に害獣の侵入行動で破断するように設けた侵入感知線と、該侵入感知線の破断に応答して作動する音響発生器を更に備えてなることを特徴とする請求項１，２及び３の何れか１項に記載の害獣捕獲装置。
【発明の詳細な説明】
【技術分野】
【０００１】  本発明は害獣捕獲装置に関し、更に詳細には、農作物に被害をもたらす鹿や猪などの害獣を、害獣自身の行動を利用して捕獲するようにした捕獲ネット構成の新しい害獣捕獲装置に関するものである。
【背景技術】
【０００２】  従来、捕獲ネットを利用した害獣捕獲装置としては、下記特許文献１及び２に示すものが提案されている。特許文献１の捕獲装置は、１本の支柱を中心にして展開吊架した捕獲ネットを害獣侵入時に上から落下させて害獣を捕獲する構成となっている。また特許文献２の捕獲装置は、地面に展開設置した捕獲ネットの上に害獣が侵入した時、ネット周辺を絞りながら吊り上げて害獣を捕獲する構成を備えている。
【先行技術文献】
【特許文献】
【０００３】
【特許文献１】特開２００３−２１９７８４号公開特許公報
【特許文献２】特開２０１４−０８３０４９号公開特許公報
【発明の概要】
【発明が解決しようとする課題】
【０００４】  しかしながら、上記特許文献１及び２に記載の従来の害獣捕獲装置においては、捕獲ネットを落下させたり吊り上げたりする捕獲動作が、何れも捕獲エリアへの害獣の侵入を検知する機械式または電気式検知手段によって開始される構成となっている。これらの侵入検知手段は構造が複雑であり、捕獲装置全体の設置にも手間と熟練を要するほか、常に故障や動作不良のリスクを内在している。すなわち特許文献１の装置では捕獲ネットを吊架状態に係止している係合フックが故障などで外れない心配があるし、特許文献２の装置では侵入検知用の赤外線センサが害獣以外の光路障害物により誤作動するおそれがある。【０００５】  本発明は、上記のような問題を解決した構造が簡単で、かつ捕獲精度の高い捕獲ネットを利用した新しい害獣捕獲装置の提供を目的とするものである。さらに具体的に述べると本発明は、捕獲エリアに侵入した害獣を害獣自身の動きを利用して自縄自縛式に捕獲する安価で施設作業の容易な害獣捕獲装置の提供を目的とするものである。
【課題を解決するための手段】
【０００６】  上記の目的を達成すべく、本発明による害獣捕獲装置は、捕獲すべき害獣の背丈よりも高い地上位置に張架される張架索条と、周囲に所定間隔で索条通し具を付けた捕獲ネットと、該捕獲ネットの索条通し具に通した絞り索条とを主要部材として構成され、捕獲ネットの１辺を張架索条に懸架した状態で対向辺を地面に垂らし、該対向辺の１隅から前記絞り索条の端部を延ばして固定することにより捕獲準備が整うものである。【０００７】  害獣の頭部が張架索条に架けられた捕獲ネットにぶつかるとその力でネット上辺が張架索条から害獣の後ろにすべり落ちて害獣を自動的に包囲する。その後捕獲ネットの中で害獣が逃避行動を起こすことで周りの絞り索条が自動的に引き絞られ、次第に袋状態となる捕獲ネットの中に害獣が閉じ込められて捕獲されることになる。【０００８】  捕獲ネットの網目の大きさは捕獲対象とする害獣に応じて頭部が抜けない寸法の大きさとするが、地面に垂らして置かれる捕獲ネットの縦方向下辺約１／５の範囲の網目寸法は、害獣の足が絡まり易い比較的小さい網目としておくのが好ましい。また捕獲ネットの上辺約１／５の範囲は比較的重量のある太めの網糸で構成すると共に網目も小さくしておくのが望ましく、この加重構成により捕獲ネット引き落とし時に害獣の後ろ側を効果的に包囲することができる。【０００９】  また本発明の害獣捕獲装置は、前記第１の捕獲ネットの後部上方に展開吊架する第２の捕獲ネットと、該第２の捕獲ネットの吊架状態を前記第１の捕獲ネットに連動して解放するよう当該第１の捕獲ネットに連結された引き糸とを更に備えた構成を第２の特徴とする。先の第１の捕獲ネットにより先頭の害獣が絡め捕られる過程において、当該第１の捕獲ネットに加わる力で前記引き糸が引かれ、第２の捕獲ネットの吊架状態が解放されて落下する。この結果、先頭害獣に後続する連れの害獣も第２の捕獲ネットにより投網で捕るように捕獲することができる。【００１０】  更に本発明の害獣捕獲装置は、第１の捕獲ネットの害獣侵入経路に、侵入感知線を設け、該侵入感知線の破断または緊張で害獣の侵入を感知して害獣追い込み音響を発生するようにした構成を第３の特徴とするものである。追い込み音響発生器としては、目さましアラームなど電気式または機械式の既存の装置を利用することができる。
【発明の効果】
【００１１】  本発明によれば、害獣自身の直接行動で捕獲が完了し、従来のような捕獲エリアへの侵入行動を検知する複雑な検知手段や作動機構を全く必要としない。害獣の行動と、害獣被害者の知見を巧みに利用した安価で施設作業の容易な捕獲装置を提供することができる。また本発明の第２の特徴によれば縦方向に垂らした第１の捕獲ネットと、その後部上方に吊架した第２の捕獲ネットにより連れを伴って行動する害獣を二網打尽に捕獲することができる。
【図面の簡単な説明】
【００１２】
【図１】本発明による捕獲ネットの１例構成を展開状態で示す平面図である。
【図２】捕獲ネットに対する索条通し具と絞り索条の連結関係を示す要部概略図である。
【図３】本発明による捕獲装置の設置状態を示す模式的斜視構成図である。
【図４】本発明の捕獲装置への害獣の侵入時の状態を模式的に示す情景図である。
【図５】本発明の捕獲装置により害獣が捕獲された状態を模式的に示す情景図である。
【図６】本発明による害獣捕獲装置の第２の実施態様を示す模式的斜視構成図である。
【図７】第２実施態様における第２捕獲ネットの連結具の１例を示す斜視図である。
【図８】本発明による害獣捕獲装置の第３の実施態様を示す模式的斜視構成図である。
【発明を実施するための形態】
【００１３】  以下、本発明の好ましい実施形態について図面を参照して詳細に説明する。なお、説明の簡略化のため図中同じ構成要素には同じ符号をつけている。
〔実施形態１〕
【００１４】  図１を参照して、本発明による害獣捕獲装置の主体となる捕獲ネット１は、一人での施設作業が可能となるよう例えば１辺が３．５メートルほどの四方形の網形態を有する。縦及び横の網糸には堅牢な釣り糸が適するが、害獣の目に付きにくい透明感のある５号或は６号等の高強度樹脂糸、特にＰＥ糸（ポリエチレン糸）を用いるのが好ましい。網の目の寸法は、捕獲対象とする害獣によって異なるが、害獣の足は通るが頭は通らない大きさのものとする。鹿の場合は３５ｃｍ四方の網目が良く、猪は１０ｃｍ乃至２０ｃｍ四方、ウサギやニュートリアなどの小動物の場合は適宜網目の小さいものを用いる。
【００１５】  捕獲ネット１の構成としては、縦方向上下の対向する２辺の網目寸法をそれらの中間部の網目寸法と異ならせておくのが好ましい。すなわち縦方向寸法の１／５ほどの上辺１ａの範囲は比較的重量のある太めの網糸で網目も小さなものとして単位面積当たりの重量が重くなる構成とする。他方、同じく縦方向寸法の１／５ほどの下辺１ｂの範囲は捕獲対象害獣の足が絡まり易いよう中ほどの部分の網目よりも小さい網目とする。上辺１ａと下辺１ｂの範囲の網糸の材料は太目で重量のあるものの方が良い。
【００１６】  捕獲ネット１の周囲には、図２に示すように所定間隔でリング状の索条通し具２が取り付けてある。この索条通し具２は金属または樹脂製の堅固で重量のあるリングであるが、このリングを通す絞り索条に対してすべり易く滑面加工したものが良い。
【００１７】  前記索条通し具２には捕獲ネット１を取り巻いて絞り索条３が通してある。この絞り索条３としては、高強度のＢ種ピアノ線又はＰＥライン（プリエチレン糸）が適する。捕獲ネット１の下辺の一つの隅から引き出した絞り索条３の一端部に図示省略したリング金具を固定する一方、他端部を該リング金具に通して延長し、その延長端部を立木又は強固な杭に緊縛できるようにしてある。
【００１８】  図３は、本発明の捕獲装置を仕掛けた状態を模式的に示しており、もう一つの構成部材である張架索条５が捕獲エリアの地上に略水平に張架されている。この張架索条５も滑らかな表面を持った滑り易い金属又は樹脂製の高強度ワイヤーが良い。索条５の張架には、捕獲エリアに立てたポール又は自然立木６を利用し、高さは害獣の背丈よりも高く、捕獲ネット１の縦寸法の７割程度のところが適当である。すなわち捕獲ネット１の辺の長さが３．５ｍであれば張架索条５の高さは２．５ｍほどのところが好ましい。
【００１９】  図３に示すように、張架索条５の張架を終えた後、捕獲ネット１の上辺１ａを張架索条５に架けて対向する下辺１ｂを地面に垂らすようにセットする。捕獲ネット１の懸架方向はその上辺１ａが害獣８の侵入予測方向の手前から張架索条を超える向きにする。また捕獲ネット１の垂下辺１ｂの１隅から延びる絞り索条３の自由端を立木などの固定手段６に緊縛固定する。この状態で捕獲ネット１の上辺１ａが５０ｃｍほど張架索条５の害獣侵入方向の向う側に垂れ、対向する垂下辺１ｂが５０ｃｍほど害獣侵入方向の手前側の地面に広がる。これで捕獲準備が整ったことになる。
【００２０】  図４に捕獲作用の第１ステップの状態を示す。すなわち以上のように捕獲準備の終わった捕獲ネット１の前に害獣８が侵入し、頭部を捕獲ネット１にぶつけて網目の小さい垂下辺１ｂに足を踏み込むと、その突進力で図４に示すように捕獲ネット１が懸架索条６から引き外され、上辺１ａがその周辺の索条通し具２や重量のある網糸の重みと相まって害獣８の後ろ側を包囲するように落下する。
【００２１】  図５に捕獲作用の第２ステップの状態を示す。即ち捕獲ネット１の網目の小さな下辺１ｂに足を絡めた害獣８が逃避行動を起こすことにより、その力が当該捕獲ネット１を介してその周辺の絞り索条３を引き絞る力となる。従って、害獣が逃げようとすればするほど、端部を固定された絞り索条３により捕獲ネット１の周辺が次第に絞られて、最後には図５のように害獣８は捕獲ネット１の中に完全に閉じ込められる。かくして害獣８自身の行動を利用した捕獲動作が完了する。
〔実施態様２〕
【００２２】  ところで農作物や林野を荒らす鹿や猪などの害獣は数頭連れだって行動する習性があり、上記実施態様１の捕獲装置では、後続の害獣を取り逃がしかねない心配がある。
【００２３】  図６はこのような心配を払拭する本発明による害獣捕獲装置の第２の実施態様を示す模式的斜視構成図である。
【００２４】  図６に示すように、実施態様１の第１の捕獲ネット１の後部上方に第２の捕獲ネット１０を吊架してある。第２の捕獲ネット１０も第１の捕獲ネットと同様周囲に第２の絞り索条１１を設けた構成を有し、その四隅を周りの立木などを利用して張架索条５とほぼ同じ高さの地上位置に吊り下げ索条１２で吊り下げてある。吊り下げ索条１２には図７に示す連結具１３が取り付けてあり、第２捕獲ネット１０の四隅に設けたフック１５を掛けて吊架状態と保持している。
【００２５】  即ち、図７に例示するように第２の捕獲ネット１０を吊架する連結具１３は、Ｕ字又はＣ字型の金具１３ａと、その解放端を閉じる開閉ピン１３ｂとから成る。金具１３ａの基部が吊架索条１２の端部に結合され、開閉ピン１３ｂが引き糸１４に結合されている。そして捕獲準備状態においては、第２捕獲ネット１０の四隅のフック１５が開閉ピン１３ｂに係止された状態にある。
【００２６】  従って第２捕獲ネット１０の第２の絞り索条１１の延長端部を杭か立ち木６に緊縛固定し、更に引き糸１４の端部を第１捕獲ネット１の一部、例えば上辺１ａに結んでおけば、第１捕獲ネット１の落下に連動して引き糸１４が引かれることにより開閉ピン１３ｂが抜かれて吊り下げ索条１２によるネットの吊架状態が解除されることになる。その結果、第１捕獲ネット１の後ろの上方から第２の捕獲ネット１０が落下し、連れだって行動する後続の害獣を二網打尽に捕獲することができる。
【００２７】  また第２捕獲ネット１０に対する吊り下げ索条１２の連結を解除する引き糸１４を第１捕獲ネット１の絞り索条３に連結しておけば、第２捕獲ネット１０を第１捕獲ネット１の落下から絞り索条３に力が掛かるまでの時間差を持って落下させることができ、後続する仲間の害獣をより効果的に捕獲することができる。
〔実施態様３〕
【００２８】  図８は本発明の第３の実施態様を示す模式的斜視構成図である。この第３の実施態様においては、ほぼ垂直に垂れ下がるよう設置した第１の捕獲ネット１の害獣侵入経路に害獣が触れる高さで侵入感知線１６を張架してある。またこの侵入感知線１６には、スプリング１７を介して害獣追い込み用の音響発生器１８が連結してある。スプリング１７はゴムバンド等の弾性部材で置き換えても良い。
【００２９】  音響発生器１８は、侵入感知線１６が破断した時のスプリング１７の反応収縮力でレバー１８ａが矢印方向に作動し、図示省略した内臓ブザー若しくはベルを起動して鳴動を発生するものである。捕獲エリアに近づいた害獣は、自身の行動によって侵入感知線１６が破断された時に後ろから突然発生する音響に驚いて前方の捕獲ネットに自動的に追い込まれることになり、突進力が増して捕獲作用がより確実なものとなる。
【００３０】  侵入感知線１６としては、レバー１８ａの作動力を蓄積するスプリング１７の張力と害獣の侵入行動の力で破断する強度とのバランスを考慮した材料を選ぶ必要がある。或は侵入感知線１６の中央部を互いにカギフックなどの連結具で繋いだ構成とし、該カギフックを害獣の侵入行動時の接触力で解除する構成にしても良い。追い込み用の音響発生器１８は、電池式又は機械式の目さましアラーム等既存の構成を適宜利用することができる。
【００３１】  以上の説明から明らかなように、本発明の害獣捕獲装置によれば、複雑な機構や電気的な検知手段等を必要とすることなく、害獣自身の行動を利用して効果的に害獣の捕獲が可能となる。また本発明の捕獲装置は設置作業が容易で、作業や操作に特別の知識や習熟を要さない利点がある。従って、本発明は、安価な費用で害獣被害を防ぐことができ、鹿や猪等の害獣被害に悩む農業や林業の従事者に極めて有益である。
【符号の説明】
【００３２】１：捕獲ネット、２：索条通し具、３：絞り索条、５：張架索条、６：立木（固定手段）８：捕獲対象害獣、１０：第２の捕獲ネット、１１：第２の絞り索条、１２：吊り下げ索条、１３：吊架用連結具  １４：引き糸、１５：フック、１６：侵入感知線、１７：スプリング、１８：追い込み用音響発生器
【図１】
2017042152.tif 000003
【図２】
2017042152.tif 000004
【図６】
2017042152.tif 000005
【図３】
2017042152.tif 000006
【図４】
2017042152.tif 000007
【図５】
2017042152.tif 000008
【図７】
2017042152.tif 000009
【図８】
2017042152.tif 000010
【手続補正書】
【提出日】平成28年6月24日(2016.6.24)
【手続補正１】
【補正対象書類名】特許請求の範囲
【補正対象項目名】請求項１
【補正方法】変更
【補正の内容】
【請求項１】
捕獲すべき害獣の背丈よりも高い地上位置に張架される張架索条と、周囲に所定間隔で索条通し具を付けた捕獲ネットと、該捕獲ネットの索条通し具に通した絞り索条とを主要部材として構成され、前記捕獲ネットの縦方向の一辺を張架索条に懸架した状態で対向下辺を地面に垂らし、該対向下辺の一隅から前記絞り索条の端部を延ばして固定するようにしたことを特徴とする害獣捕獲装置。